(57)【要約】【課題】  静止画再生機能を持たない再生装置でも静止画を閲覧できるようにする。【解決手段】  静止画圧縮処理装置３２は、カメラユニット２２からの静止画信号を圧縮して圧縮静止画データを生成する。圧縮静止画データは、ディスクドライブ１０によりディスク１２に書き込まれる。動画信号セレクタ２８はカメラユニット２２からの動画信号を選択している。動画圧縮処理装置３０、音声圧縮処理装置３４及びマルチプレクサ３６により、静止画に対応する動画音声複合データを生成する。ストリームバッファ３８は、マルチプレクサ３６からの動画音声複合データを一時的に保持する。記録再生処理部１４は、ストリームバッファ３８が一時的に保持した動画音声複合データの大きさに対応して、ディスク１２の予約領域を拡大する。【選択図】  図１
2007311922.tif 000002
【特許請求の範囲】
【請求項１】
記録媒体に対して動画記録方式に従い動画像を記録するとともに、静止画記録方式に従って静止画像を記録する記録手段（３０，３２，１０）と、
当該静止画像を当該動画記録方式に変換して記録する場合の記録容量を算出する記録容量算出手段（３０）と、
当該静止画像を当該動画記録方式に準拠する変換動画像に変換し、当該変換動画像を当該記録手段に供給する変換手段（２６，２８，３０）と、
当該静止画を当該静止画記録方式に従って当該記録媒体に記録する際に、当該記録容量算出手段で算出された当該記録容量以上の容量の予約領域を当該記録媒体に確保する記録制御手段（１４，５８）
とを具備することを特徴とする記録装置。
【請求項２】
当該記録制御手段は、所定指示に従い、当該記録媒体から当該静止画像を読み出して当該変換手段に供給し、当該記録手段により、当該変換手段からの当該変換動画像を当該動画記録方式で当該記録媒体に記録させることを特徴とする請求項１に記載の記録装置。
【発明の詳細な説明】
【技術分野】
【０００１】
本発明は、動画と静止画を混在記録可能な記録装置に関する。
【背景技術】
【０００２】
近年、ＤＶＤ（Digital Versatile Disk）などのディスク媒体に動画像及び／又は静止画像を記録するビデオカメラが実用化されている。ＤＶＤに準拠する光ディスクを記録媒体とするビデオカメラでは、動画像をＭＰＥＧ方式で圧縮符号化し、ＤＶＤビデオ規格又はＤＶＤビデオレコーディング（ＶＲ）規格で記録媒体に記録する。一方、静止画の場合、ＪＰＥＧ方式で圧縮符号化し、ＤＣＦ（Design rule for Camera File system）と呼ばれる記録フォーマットで記録媒体に記録するのが一般的である。
【０００３】
このようにそれぞれの規格又は記録フォーマットに従って記録された動画像と静止画像を再生するには、それぞれの規格及び記録フォーマットに対応するデコーダ機能及び再生機能が必要となる。
【０００４】
これに対し、一般的なＤＶＤ再生装置は、動画再生機能しか持たない場合がほとんどであるので、静止画像が記録されている場合でも、それを再生できない。これを解決する方法として、静止画記録方式に従って記録された静止画像データを一旦復号し、改めてＭＰＥＧ方式で符号化して動画記録方式で記録する方法が提案されている（例えば、特許文献１を参照）。このように、静止画像を動画像記録方式でも記録しておくことで、静止画再生機能を持たない一般の再生装置であっても、静止画像を再生表示できるようになる。
【特許文献１】特開２００４−２０１１７０号公報
【発明の開示】
【発明が解決しようとする課題】
【０００５】
特許文献１に記載の構成では、ディスクの記録容量一杯に動画像又は静止画像を記録してしまった場合、静止画データを動画データに変換したデータ（以下静止画ムービーデータ）を記録できない。
【０００６】
本発明は、このような問題点を解決する記録装置を提示することを目的とする。
【課題を解決するための手段】
【０００７】
本発明に係る記録装置は、記録媒体に対して動画記録方式に従い動画像を記録するとともに、静止画記録方式に従って静止画像を記録する記録手段と、当該静止画像を当該動画記録方式に変換して記録する場合の記録容量を算出する記録容量算出手段と、当該静止画像を当該動画記録方式に準拠する変換動画像に変換し、当該変換動画像を当該記録手段に供給する変換手段と、当該静止画を当該静止画記録方式に従って当該記録媒体に記録する際に、当該記録容量算出手段で算出された当該記録容量以上の容量の予約領域を当該記録媒体に確保する記録制御手段とを具備することを特徴とする。
【発明の効果】
【０００８】
本発明により、静止画像再生に対応していない再生装置でも、静止画像を閲覧できるようになる。また、閲覧のために静止画像から変換された動画像（変換動画像）を記録する領域を予め確保するので、互換化処理などを行っても、変換動画像を記録できなくなることが無い。
【発明を実施するための最良の形態】
【０００９】
以下、図面を参照して、本発明の実施例を詳細に説明する。
【実施例１】
【００１０】
図１は、本発明の一実施例である動画と静止画をディスク状記録媒体に記録可能なビデオカメラの概略構成ブロック図である。本実施例では、記録媒体としてＤＶＤディスクを用いる。また、動画像データはＤＶＤビデオ規格に従って記録され、静止画像データはＤＣＦ規格に従って記録される。
【００１１】
ディスクドライブ１０は、記録再生処理部１４に従い、ディスク１２にデータを書き込み、ディスク１２からデータを読み出す装置である。ファイル管理情報管理部１６は、ディスク１２に格納されている全ファイルの記録位置、大きさ及び更新日時などからなるファイル管理情報を保持する。ファイル管理情報はまた、互換化（いわゆるファイナライズ処理）のための予約領域の大きさと、静止画を動画に変換するための予約領域の大きさの情報も保持している。動画音声ファイル管理情報格納部１８は、ディスク１２に格納されている全動画音声ファイルに関する動画音声管理情報を保持し、静止画ファイル管理情報格納部２０は、ディスク１２に格納されている全静止画ファイルに関する静止画管理情報を保持する。
【００１２】
カメラユニット２２は、被写体を撮影して、動画を構成する一連の画像信号、及び個別の静止画像を生成する。マイクユニット２４は、外界の音から音声信号を生成する。
【００１３】
静止画伸長処理装置２６は、ディスクドライブ１０及び記録再生処理部１４によりディスク１２から読み出された圧縮静止画データを伸長し、動画信号に変換する。
【００１４】
動画信号セレクタ２８は、カメラユニット２２からの動画信号と、静止画伸長処理装置２６からの動画信号の一方を選択する。動画圧縮処理装置３０は、動画信号セレクタ２８によって選択された動画信号を圧縮して圧縮動画データを生成する。
【００１５】
静止画圧縮処理装置３２は、静止画撮影時に利用される。静止画圧縮処理装置３２は、カメラユニット２２からの静止画信号を圧縮し、圧縮静止画データを生成する。生成された圧縮静止画データは、記録再生処理部１４及びディスクドライブ１０により、ディスク１２に記録され、同時に、静止画ファイル管理情報格納部２０の静止画ファイル管理情報が更新される。
【００１６】
音声圧縮処理装置３４は、マイクユニット２４からの音声信号を圧縮し、圧縮音声データを生成する。
【００１７】
マルチプレクサ３６は、動画圧縮処理装置３０からの圧縮動画データと、音声圧縮処理装置３４からの圧縮音声データを多重し、動画音声複合データを生成する。この動画音声複合データは、ストリームバッファ３８、記録再生処理部１４及びディスクドライブ１０を介して、ディスク１２に書き込まれる。ストリームバッファ３８は、記録再生処理部１４及びディスクドライブ１０によりディスク１２に書き込まれるべきデータを一時的に保持し、また、ディスク１２から読み出されたデータを一時的に保持する。
【００１８】
ディスク１２から読み出された動画音声複合データは、記録再生処理部１４及びストリームバッファ３８を介してデマルチプレクサ４０に印加される。デマルチプレクサ４０は、ストリームバッファ３８に一時格納された動画音声複合データから圧縮動画データと圧縮音声データを分離する。
【００１９】
動画伸長処理装置４２は、デマルチプレクサ４０からの圧縮動画データを伸長して、動画信号を生成する。音声伸長処理装置４４は、デマルチプレクサ４０からの圧縮音声データを伸長して、音声信号を生成する。
【００２０】
動画信号セレクタ４６は、動画信号セレクタ２８によって選択される動画信号と、動画伸長処理装置４２からの動画信号の一方を選択する。音声信号セレクタ４８は、マイクユニット２４からの音声信号と音声伸長処理装置４４からの音声信号の一方を選択する。
【００２１】
ビデオエンコーダ５０は、動画信号セレクタ４６で選択された動画信号をＮＴＳＣ又はＰＡＬといった標準放送形式のアナログ動画信号に変換し、ビデオ出力端子５２に出力する。Ｄ／Ａ変換器５４は、音声信号セレクタ４８で選択された音声信号をアナログ音声信号に変換し、音声出力端子５６に出力する。
【００２２】
システム制御装置５８は、ユーザが操作するスイッチユニット６０からの操作信号に従ってシステム全体の動作を制御する。
【００２３】
なお、本実施例は、電子ビューファインダを装備しているが、本発明の必須の機能ではないので、省略してある。
【００２４】
本実施例の動画記録動作を説明する。カメラユニット２２は、被写体を撮影して動画信号を生成する。動画記録時には、動画信号セレクタ２８は、カメラユニット２２からの動画信号を選択する。動画圧縮処理装置３０は、動画信号セレクタ２８からの動画信号を圧縮符号化し、圧縮動画データを生成する。
【００２５】
同時に、マイクユニット２４は、外界の音から音声信号を生成する。音声圧縮処理装置３４は、マイクユニット２４からの音声信号を圧縮し、圧縮音声データを生成する。
【００２６】
マルチプレクサ３６は、動画圧縮処理装置３０からの圧縮動画データと音声圧縮処理装置３４からの圧縮音声データを多重化し、動画音声複合データを生成する。この動画音声複合データは、ストリームバッファ３８に一時的に保管される。記録再生処理部１４は、ファイル管理情報管理部１６のファイル管理情報及び動画音声ファイル管理情報格納部１８の動画音声ファイル管理情報を参照して、ストリームバッファ３８からの動画音声複合データを、ディスクドライブ１０によりディスク１２の所定箇所に書き込む。
【００２７】
ファイル管理情報管理部１６は、現在記録中の動画音声複合データが格納されるファイルの最新の位置、大きさ及び時刻などのファイル管理情報を保持する。動画音声ファイル管理情報格納部１８は、ディスク１２に記録しようとしている動画音声複合データの最新の付帯情報を保持する。ディスク１２へのデータ書込みの進行に従い、ファイル管理情報及び動画音声ファイル管理情報は、逐次的に更新される。
【００２８】
動画信号セレクタ４６は、動画信号セレクタ２８によって選択されている動画信号（ここでは、カメラユニット２２からの動画信号）を選択する。音声信号セレクタ４８は、マイクユニット２４からの音声信号を選択する。
【００２９】
ビデオエンコーダ５０は、動画信号セレクタ４６で選択されている動画信号（ここでは、カメラユニット２２からの動画信号）を所定形式のアナログ動画信号に変換し、ビデオ出力端子５２に出力する。Ｄ／Ａ変換器５４は、音声信号セレクタ４８で選択されている音声信号（ここでは、マイクユニット２４からの音声信号）をアナログ音声信号に変換し、音声出力端子５６に出力する。
【００３０】
ユーザからの動画記録の終了の指示に従い、システム制御装置５８は、各部を以下のように制御する。即ち、動画圧縮処理装置３０は、圧縮動作の区切りの良いところで圧縮動画データの生成を中止し、音声圧縮処理装置３４は、動画圧縮処理装置３０の動作に同期して圧縮音声データの生成を中止する。記録再生処理部１４は、ストリームバッファ３８に残る動画音声複合データを、ディスクドライブ１０によりディスク１２の所定箇所に書き込む。
【００３１】
動画音声複合データがすべてディスク１２に書き込まれると、動画音声ファイル管理情報格納部１８に格納される最新の動画音声ファイル管理情報に従い、ディスク１２に格納されている全動画音声ファイルの最新の付帯情報が、ディスク１２に書き込まれる。また、ディスク１２に格納されている全ファイルの最新の位置、大きさ及び時刻などのファイル管理情報が、ディスク１２に書き込まれる。最後に、ファイル管理情報を書き込んだ位置の情報が、ディスク１２の先頭領域の未使用部分に書き込まれる。
【００３２】
ディスク１２に記録される動画を再生する動作を説明する。動画音声ファイル管理情報格納部１８の動画音声ファイル管理情報を参照することで、ディスク１２に格納されている全動画音声ファイルを知ることができる。
【００３３】
全動画音声ファイルの中から、ユーザが再生を希望する動画音声ファイルを選択すると、システム制御装置５８は、ファイル管理情報管理部１６のファイル管理情報から、選択された動画音声ファイルの位置、大きさ、更新日時などの情報を得ることができる。
【００３４】
記録再生処理部１４は、ファイル管理情報管理部１６からのファイル管理情報に従って、ディスクの所定の位置からデータを読み出すようにディスクドライブ１０を制御する。ディスク１２から読み出されたデータは、ディスクドライブ１０、記録再生処理部１４及びストリームバッファ３８を介してデマルチプレクサ４０に印加される。
【００３５】
デマルチプレクサ４０は、ストリームバッファ３８からの動画音声複合データから動画データと音声データを分離する。動画伸長処理装置４２は、デマルチプレクサ４０からの動画データを伸長して動画信号を生成する。音声伸長処理装置４４は、デマルチプレクサ４０からの音声データを伸長して音声信号を生成する。
【００３６】
動画再生時、動画信号セレクタ４６は、動画伸長処理装置４２からの動画信号を選択し、音声信号セレクタ４８は、音声伸長処理装置４４からの音声信号を選択している。これにより、再生動画信号がビデオエンコーダ５０に印加され、再生音声信号がＤ／Ａ変換器５４に印加される。
【００３７】
ビデオエンコーダ５０は、動画伸長処理装置４２からの再生動画信号をアナログの動画信号に変換してビデオ出力端子５２に出力する。Ｄ／Ａ変換器５４は、音声伸長処理装置４４からの再生音声信号をアナログ信号に変換して音声出力端子５６に出力する。
【００３８】
本実施例の静止画記録動作を説明する。静止画記録モードでは、撮影ボタンなどを押すことで、静止画がディスク１２に記録される。即ち、カメラユニット２２は、被写体の動画信号と静止画信号を生成し、静止画信号を静止画圧縮処理装置３２に出力し、動画信号を動画信号セレクタ２８に出力する。
【００３９】
静止画圧縮処理装置３２は、カメラユニット２２からの静止画信号を圧縮して圧縮静止画データを生成する。
【００４０】
ファイル管理情報管理部１６は、これから記録する圧縮静止画データが格納されるファイルの位置、大きさ、時刻などの情報を保持している。静止画ファイル管理情報格納部２０は、ディスク１２に格納される静止画のファイルを管理する情報を保持し、これから記録する静止画データについての最新の付帯情報を保持している。
【００４１】
記録再生処理部１４は、ファイル管理情報管理部１６のファイル管理情報に従い、静止画圧縮処理装置３２によって生成された静止画データを、ディスク１２の所定の位置に書き込みむようにディスクドライブ１０を制御する。ディスクドライブ１０は、記録再生処理部１４により指定されたディスク１２上の位置に記録再生処理部１４からのデータを書き込む。
【００４２】
動画信号セレクタ２８はカメラユニット２２からの動画信号を選択しており、動画圧縮処理装置３０は、動画信号セレクタ２８からの動画信号を圧縮して圧縮動画データを生成する。音声圧縮処理装置３４は、無音の音声信号を圧縮して無音の圧縮音声データを生成する。
【００４３】
マルチプレクサ３６は、動画圧縮処理装置３０からの圧縮動画データと音声圧縮処理装置３４からの無音の圧縮音声データを合成して、動画音声複合データを生成する。ストリームバッファ３８は、マルチプレクサ３６からの動画音声複合データを一時的に保持する。
【００４４】
記録再生処理部１４は、ストリームバッファ３８が一時的に保持した動画音声複合データの大きさに対応して、ファイル管理情報管理部１６のファイル管理情報中の互換処理（ファイナライズ処理）の際に書き込むデータ用の予約領域の大きさ情報に、当該動画音声複合データの大きさを加算して、予約領域を拡大する。
【００４５】
動画信号セレクタ４６は、動画信号セレクタ２８からの動画信号（このときは、カメラユニット２２からの動画信号）を選択する。ビデオエンコーダ５０は、動画信号セレクタ４６で選択されているカメラユニット２２からの動画信号をアナログの動画信号に変換してビデオ出力端子５２に出力する。Ｄ／Ａ変換器５４は、非動作状態となっていて、音声出力端子５６には何も出力されない。
【００４６】
一連の静止画の記録を終えるときの動作を説明する。記録再生処理部１４及びディスクドライブ１０は、静止画ファイル管理情報格納部２０が保持する、ディスク１２に格納されている全静止画ファイルについての最新の付帯情報を、静止画データに引き続きディスク１２に記録する。この記録動作後に、ディスク１２に格納されている全ファイルの最新の位置、大きさ及び時刻などのファイル管理情報が、引き続きディスク１２に記録される。そして最後に、ファイル管理情報を書き込んだ位置の情報が、ディスク１２の先頭領域の未使用部分に書き込まれる。
【００４７】
静止画再生動作を説明する。ディスク１２に記録される全静止画ファイルから、ユーザが再生を希望する静止画ファイルを選択すると、記録再生処理部１４は、ファイル管理情報管理部１６から、選択された静止画ファイルの位置、大きさ、更新日時などの情報を取得する。記録再生処理部１４は、ファイル管理情報管理部１６からの情報に従って、ディスク１２からその静止画ファイルを読み出すようにディスクドライブ１０を制御する。
【００４８】
ディスク１２から読み出された静止画ファイルの圧縮静止画データは、ディスクドライブ１０及び記録再生処理部１４を介して静止画伸長処理装置２６に印加される。静止画伸長処理装置２６は、記録再生処理部１４からの圧縮静止画データを伸長して、同じ静止画像の繰り返しからなる動画信号を生成する。
【００４９】
動画信号セレクタ２８は、静止画伸長処理装置２６からの動画信号を選択し、動画信号セレクタ４６は、動画信号セレクタ２８の出力を選択している。従って、静止画伸長処理装置の出力動画信号は、動画信号セレクタ２８，４６を介してビデオエンコーダ５０に印加される。ビデオエンコーダ５０は、動画信号セレクタ４６からの動画信号をアナログ動画信号に変換してビデオ出力端子５２に出力する。Ｄ／Ａ変換器５４は、非動作状態となっており、音声出力端子５６には何も出力されない。
【００５０】
複数の静止画データを動画像データに変換して静止画ムービーデータを作成及び記録する動作を説明する。
【００５１】
全静止画ファイルから所望の静止画ファイルが選択されると、記録再生処理部１４は、ファイル管理情報管理部１６から、選択された静止画ファイルの位置、大きさ、更新日時などの情報を取得する。記録再生処理部１４は、ファイル管理情報管理部１６からの情報に従って、選択された静止画ファイルをディスク１２から読み出すように、ディスクドライブ１０を制御する。読み出された静止画ファイルの圧縮静止画データは、逐次、記録再生処理部１４から静止画伸長処理装置２６に供給される。静止画伸長処理装置２６は、記録再生処理部１４からの圧縮静止画データを順次伸長して、各静止画ファイルに対して、同じ静止画の繰り返しからなる動画信号を生成する。
【００５２】
この動作モードでは、動画信号セレクタ２８は、静止画伸長処理装置２６からの動画信号を選択しており、静止画伸長処理装置２６の出力は、動画信号セレクタ２８を介して動画圧縮処理装置３０に印加される。動画圧縮処理装置３０は、静止画ムービーデータを生成するために、静止画伸長処理装置２６からの動画信号を圧縮して圧縮動画データを生成する。また、音声圧縮処理装置３４は、無音の音声信号を圧縮して無音の圧縮音声データを生成する。
【００５３】
マルチプレクサ３６は、動画圧縮処理装置３０からの圧縮動画データと音声圧縮処理装置３４からの無音の圧縮音声データを合成して、動画音声複合データを生成する。ストリームバッファ３８は、マルチプレクサ３６からの動画音声複合データを一時的に保持する。
【００５４】
ファイル管理情報管理部１６は、現在記録中の動画音声複合データが格納されるファイルの最新の位置、大きさ、時刻などの情報を保持している。動画音声ファイル管理情報格納部１８は、ディスク１２に格納される動画音声ファイルを管理していて、現在記録中の動画音声複合データについての最新の付帯情報を保持している。
【００５５】
記録再生処理部１４は、ファイル管理情報管理部１６のファイル管理情報に従い、ストリームバッファ３８からの動画音声複合データを、ディスク１２に書き込みむようにディスクドライブ１０を制御する。ディスクドライブ１０は、記録再生処理部１４により指定されたディスク１２の位置に記録再生処理部１４からのデータを書き込む。ここでディスク１２に書き込まれるデータが、静止画ムービーデータであり、特許請求の範囲の変換動画像に対応する。
【００５６】
この動作モードでは、動画信号セレクタ４６は、動画信号セレクタ２８の出力を選択しており、静止画伸長処理装置２６からの動画信号は、セレクタ２８，４６を介してビデオエンコーダ５０に印加される。ビデオエンコーダ５０は、静止画伸長処理装置２６からの動画信号をアナログ動画信号に変換してビデオ出力端子５２に出力する。また、Ｄ／Ａ変換器５４は非動作状態となっており、音声出力端子５６には何も出力されない。
【００５７】
上述のようにして静止画ムービーデータがディスク１２に記録されると、静止画ファイル管理情報格納部２０の静止画ファイル管理情報がディスク１２に続けて記録され、次に、ファイル管理情報がディスク１２に記録され、最後に、ファイル管理情報を書き込んだ位置の情報がディスク１２の先頭領域の未使用部分に書き込まれる。
【００５８】
ディスク１２上でのデータの配置とその変化例を説明する。図２乃至図７は、ディスク１２に記録される情報の大まかな位置と容量の模式図を示す。位置については、長方形の左端が内周端を表し、右端が外周端を表す。容量については、長方形の横幅方向で情報の容量を表しているが、図を見やすくするために、必ずしも実際の容量には比例していない。
【００５９】
図２は、未使用のディスクの状態を表している。図２において、Ａ１は未使用領域である。
【００６０】
図３は、ディスクの初期化が完了した状態を表している。図３において、Ｂ１はリードイン領域、Ｂ３はデータリードイン領域、Ｂ５は静止画ムービーデータを記録するための予約領域、そして、Ｂ２及びＢ４は未使用領域である。
【００６１】
図４は、一本の動画を記録し終えた状態を表している。図４において、Ｃ１はリードイン領域、Ｃ２は最新管理情報の位置情報、Ｃ４はデータリードイン領域、Ｃ５は動画音声複合データ、Ｃ６は最新の付加情報及びファイル管理情報、Ｃ８はディスク互換処理のための予約領域、そして、Ｃ３及びＣ７は未使用領域である。
【００６２】
図５は、図４に示す状態に続けて、静止画を数枚ともう一本の動画を記録し終えた状態を表している。図５において、Ｄ１はリードイン領域、Ｄ２は最新管理情報の位置情報、Ｄ４はデータリードイン領域、Ｄ５及びＤ９は動画音声複合データ、Ｄ６及びＤ８は使われなくなった付加情報及びファイル管理情報、Ｄ７は複数の静止画データ、Ｄ１０は最新の付加情報及びファイル管理情報、Ｄ１２は静止画ムービーデータのための予約領域、Ｄ１３は互換化のための予約領域、そして、Ｄ３及びＤ１１は未使用領域である。
【００６３】
図６は、図５に示す状態に続けてさらに、静止画を数枚ともう一本の動画を記録し終えた状態を表している。図６において、Ｅ１はリードイン領域、Ｅ２は最新管理情報の位置情報、Ｅ４はデータリードイン領域、Ｅ５、Ｅ９及びＥ１３は動画音声複合データ、Ｅ６、Ｅ８、Ｅ１０及びＥ１２は使われなくなった付加情報及びファイル管理情報、Ｅ７及びＥ１１は複数の静止画データ、Ｅ１４は最新の付加情報及びファイル管理情報、Ｅ１６は静止画ムービーデータの予約領域、Ｅ１７は互換化のための予約領域、そして、Ｅ３及びＥ１５は未使用領域である。
【００６４】
図７は、複数の静止画から変換して作成された動画を記録し、互換化を施した状態を表している。図７において、Ｆ１〜Ｆ３はリードイン領域、但しＦ２は使われなくなった最新管理情報の位置情報、Ｆ４は最新の付加情報及びファイル管理情報、Ｆ６はデータリードイン領域、Ｆ７、Ｆ１１及びＦ１５は動画音声複合データ、Ｆ８、Ｆ１０、Ｆ１２、Ｆ１４及びＦ１６は使われなくなった付加情報及びファイル管理情報、Ｆ９及びＦ１３は複数の静止画データ、Ｆ１７は複数の静止画から変換して作成された静止画ムービーデータ、Ｆ１８〜Ｆ２０はリードアウト領域、但しＦ１９は最新の付加情報及びファイル管理情報のコピー、そして、Ｆ５及びＦ２１は未使用領域である。
【００６５】
未使用の状態では、図２に示すように、全体が未使用領域Ａ１である。ディスクの初期化が完了すると、図３に示すように、リードイン領域Ｂ１とデータリードイン領域Ｂ３が形成される。以後の書き込みは、これらの領域を基準に実行される。本実施例では、最終的にリードアウト領域として必要になる分を、互換化のための予約領域Ｂ５として確保しておく。
【００６６】
一本の動画を記録し終えると、図４に示す状態になる。即ち、動画音声複合データＣ５が、データリードイン領域Ｃ４に続けて記録される。さらに、最新の付加情報及びファイル管理情報Ｃ６が、動画音声複合データＣ５に続けて記録される。最新の管理情報Ｃ６の位置を示す位置情報Ｃ２が、リードイン領域Ｃ１に続けて記録される。
【００６７】
このように記録することで、リードイン領域Ｃ１から読み始めて、最新管理情報の位置情報Ｃ２を読むことで、最新の付加情報及びファイル管理情報Ｃ６を検出できる。最新の付加情報及びファイル管理情報Ｃ６を読み込むことで、動画音声複合データＣ５の位置情報を得ることができ、データリードイン領域Ｃ４に続けて動画音声複合データＣ５を読み出して再生できる。
【００６８】
図４に示す状態から、静止画を数枚ともう一本の動画を記録し終えると、図５に示す状態になる。複数の静止画を撮影すると、複数の静止画の静止画データＤ７が、すでに使われなくなった付加情報及びファイル管理情報Ｄ６に続けて記録される。そして、最新の付加情報及びファイル管理情報Ｄ８が静止画データＤ７に続けて記録され、最新管理情報の位置情報Ｄ２が更新される。
【００６９】
このように、最新管理情報の位置情報Ｄ２は、最新の付加情報及びファイル管理情報を記録するたびに拡張されてゆき、最後の位置情報が最新の付加情報及びファイル管理情報の記録位置を示す。
【００７０】
図５では、静止画の記録に応じて、記録された静止画データの静止画ムービーデータを記録するための予約領域Ｄ１２が新たに確保されている。
【００７１】
複数の静止画に続けて動画を記録すると、動画音声複合データＤ９が、使われなくなる付加情報及びファイル管理情報Ｄ８に続けて記録される。動画音声複合データＤ９の記録を反映した最新の付加情報及びファイル管理情報Ｄ１０が、動画音声複合データＤ９に続けて記録される。そして、最新管理情報の位置情報Ｄ２が更新される。
【００７２】
システム制御装置５８は、ディスク１２の記録残容量を間欠的又は継続的に監視しており、撮影時には、不図示の表示画面上で記録可能時間を表示している。そして、静止画が記録され、静止画ムービーデータ用の予約領域が設定されると、それに伴い動画データや静止画データの記録可能領域も少なくなるので、予約領域を考慮して記録可能容量を検出する。ディスク１２上に記録可能領域が無くなると、記録を停止する。
【００７３】
図５に示す状態から更に、静止画を数枚ともう一本の動画を記録し終えると、図６に示す状態になる。図５から図６への変遷は、図５を参照して説明したのと同様であるので、詳細な説明を省略する。
【００７４】
これらの静止画、動画の記録の後に、ディスク１２に互換化のためのファイナライズ処理を施すと、図７に示す状態になる。図６から図７への変化を説明する。まず、ディスクに散在する静止画を順次再生し、動画データ（静止画ムービーデータ）に変換して記録する。この際、ディスク１２の記録可能容量が残っている場合には、静止画ムービーデータＦ１７を、使われなくなる付加情報及びファイル管理情報Ｆ１６に続けて記録する。
【００７５】
静止画ムービーのための予約領域と互換処理のための予約領域を除くと、ディスク１２に記録可能容量が残っていない場合には、予約領域Ｅ１６（図６）に静止画ムービーデータＦ１７を記録する。
【００７６】
そして、リードイン領域Ｆ３をもう使わない最新管理情報の位置情報Ｆ２に続けて記録して、領域Ｆ１〜Ｆ３でリードイン領域を構成する。最新の付加情報及びファイル管理情報Ｆ４を、リードイン領域Ｆ１〜Ｆ３に続けて記録する。このとき、付加情報及びファイル管理情報Ｆ４とデータリードイン領域Ｆ６との隙間Ｆ５をリードアウト領域として記録する。
【００７７】
最後に、複数の静止画から変換して作成された動画音声複合データＦ１７に続けて、リードアウト領域Ｆ１９、最新の付加情報及びファイル管理情報のコピーＦ２０、及び、リードアウト領域Ｆ２１を記録する。領域Ｆ１９〜Ｆ２１を最終的なリードアウト領域とする。
【００７８】
このように作成されたディスクの静止画は、静止画再生機能を具備しないＤＶＤ再生装置でも再生可能である。
【００７９】
ＤＶＤ再生装置は、まず、最新の付加情報及びファイル管理情報Ｆ４を読み出す。ＤＶＤ再生装置は、その情報Ｆ４に含まれる位置情報から、動画音声複合データＦ７，Ｆ１１，Ｆ１５、静止画データＦ９，Ｆ１３及び静止画ムービーデータＦ１７にアクセスできる。
【００８０】
予約領域の大きさの予測方法を説明する。
【００８１】
動画の１画面のサイズは予め決まっている。静止画から動画を作る時には、静止画の内容によらず、ほぼ一定のデータ量になるように圧縮処理を制御する。これは、動画圧縮におけるビットレート制御と同様な制御である。一般的には、静止画は動画に比べてノイズが目立ちやすいので、そのシステムで可能な最高の画質を設定する。
【００８２】
以上のことから、静止画の枚数と変換後の静止画ムービーデータに必要な記録容量は、ほぼ比例することとなり、必要な記録容量を簡単に計算できる。また、その計算値に基づいて、ディスクの未使用部分から、静止画から変換して作成された動画を記録するための領域を予め確保できる。
【００８３】
互換化のための予約領域の大きさ、及び、静止画を動画に変換するための予約領域の大きさは、ファイル管理情報の中に含まれているが、ディスク上のほかのデータ又は領域に含まれていても良い。
【００８４】
なお、システム制御装置５８の設定によって、予約領域を確保した後に動画像データ又は静止画像データを記録するモードと、予約領域を確保せずに動画像又は静止画像データを記録するモードを選択できるようにしてもよい。
【００８５】
また、静止画ムービーデータの記録領域を予約したものの、動画データや静止画データの記録容量が無くなった場合に、この予約領域の設定をキャンセルし、動画データや静止画データをキャンセルした予約領域に記録するようにしてもよい。
【００８６】
これらの設定は、ユーザがスイッチユニット６０を操作することで選択可能である。
【図面の簡単な説明】
【００８７】
【図１】本発明の一実施例の概略構成ブロック図である。
【図２】ディスク１２の記録内容と記録位置の変遷例である。
【図３】ディスク１２の記録内容と記録位置の変遷例である。
【図４】ディスク１２の記録内容と記録位置の変遷例である。
【図５】ディスク１２の記録内容と記録位置の変遷例である。
【図６】ディスク１２の記録内容と記録位置の変遷例である。
【図７】ディスク１２の記録内容と記録位置の変遷例である。
【符号の説明】
【００８８】
１０  ディスクドライブ
１２  ディスク
１４  記録再生処理部
１６  ファイル管理情報管理部
１８  動画音声ファイル管理情報格納部
２０  静止画ファイル管理情報格納部
２２  カメラユニット
２４  マイクユニット
２６  静止画伸長処理装置
２８  動画信号セレクタ
３０  動画圧縮処理装置
３２  静止画圧縮処理装置
３４  音声圧縮処理装置
３６  マルチプレクサ
３８  ストリームバッファ
４０  デマルチプレクサ
４２  動画伸長処理装置
４４  音声伸長処理装置
４６  動画信号セレクタ
４８  音声信号セレクタ
５０  ビデオエンコーダ
５２  ビデオ出力端子
５４  Ｄ／Ａ変換器
５６  音声出力端子
５８  システム制御装置
６０  スイッチユニット 
【図１】
2007311922.tif 000003
【図２】
2007311922.tif 000004
【図３】
2007311922.tif 000005
【図４】
2007311922.tif 000006
【図５】
2007311922.tif 000007
【図６】
2007311922.tif 000008
【図７】
2007311922.tif 000009